(57)【要約】【課題】コンパクトで簡単な構成の植物育成装置を提供する。【解決手段】育成対象の植物Ｘを配置するベース部７と、該ベース部７に対向し光源３を備えた天井部２とを有してなり装置本体が略直方体である植物育成装置において、前記装置本体を形成する外周のうち１面を開放するとともに残りの面のうち少なくとも２面を反射部材で構成する。また、前記ベース部７には、可動自在な移動手段を設け、前記装置本体から前記ベース部７を分離可能とする。【選択図】　図１
2004024018.tif 000002
【特許請求の範囲】
【請求項１】
育成対象の植物を配置するベース部と、該ベース部に対向し光源を備えた天井部とを有してなり装置本体が略直方体である植物育成装置において、
前記装置本体を形成する外周のうち１面を開放するとともに残りの面のうち少なくとも２面を反射部材で構成したことを特徴とする植物育成装置。
【請求項２】
前記ベース部には、可動自在な移動手段を設け、前記装置本体から前記ベース部を分離可能とした請求項１に記載の植物育成装置。
【請求項３】
前記開放された１面には、少なくとも前記光源の発光部からの光を遮るように開放部用反射部材を設けた請求項１又は請求項２に記載の植物育成装置。
【請求項４】
前記開放部用反射部材の垂下長さは、少なくとも前記光源の発光部の厚みの５倍以上である請求項３に記載の植物育成装置。
【請求項５】
前記ベース部には、前記植物を配置する配置台を設け、該配置台に少なくとも１つの付加反射部材を設けた請求項１乃至請求項４のいずれかに記載の植物育成装置。
【請求項６】
前記装置本体は、前記天井部から垂下する４本の支柱を備え、少なくなくとも１つの前記支柱の前記植物側には、少なくとも１つの補助光源を設けた請求項１乃至請求項５のいずれかに記載の植物育成装置。
【請求項７】
前記補助光源は、片口金型直管状蛍光ランプである請求項６に記載の植物育成装置。
【請求項８】
前記補助光源は、電子点灯回路を内蔵した電球型蛍光ランプである請求項６に記載の植物育成装置。
【請求項９】
前記補助光源は、白熱電球である請求項６に記載の植物育成装置。
【請求項１０】
前記補助光源は、ヒーター電球である請求項６に記載の植物育成装置。
【請求項１１】
前記光源は、調光制御可能である請求項１乃至請求項１０のいずれかに記載の植物育成装置。
【発明の詳細な説明】
【０００１】
【発明の属する技術分野】
本発明は、例えば一般家庭の室内において、季節を問わず、好みの植物を育成、栽培できる植物育成装置に関するものである。
【０００２】
【従来の技術】
近年のガーデニングブームを背景に、一般園芸家向けに比較的小規模な植物育成装置が見うけられるようになった。このような植物育成装置としては、例えば、特開２００２−１０１７５６号公報に記載のものを挙げることができる。
【０００３】
この植物育成装置は、図１１にその斜視図を示すように、略直方体である装置本体１００の内部に育成対象の植物Ｘを育成するようなものであり、装置本体１００の天井部１０２に設けた育成用の多数の光源（図示せず）と、装置下部１０１に設けた装置本体１００内部の温度コントロールするための冷暖房装置や装置本体１００内部の空気の換気を行うための換気装置等の各種機器（図示せず）と、外部から育成植物Ｘを鑑賞できるような透光性の周壁１０３とを備えている。
【０００４】
なお、上述の植物育成装置は、装置下部１０１と、天井部１０２と、周壁１０３とで閉空間を形成し、この閉空間を用いて、天候や気温の変動等の外乱の影響を最小限に抑制して装置本体１００内部の環境を制御し、好みの植物Ｘを育成、栽培するものである。
【０００５】
【発明が解決しようとする課題】
ところが、上述のような植物育成装置においては、冷暖房装置や換気装置等の各種機器を備えるため、装置本体のサイズが大きくなったり、装置本体が重くなったりするので、例えば設置場所が限られるという場合があった。
【０００６】
本発明は上記問題点を改善するためになされたものであり、コンパクトで簡単な構成の植物育成装置を提供することを目的とするものである。
【０００７】
【課題を解決するための手段】
請求項１に記載の植物育成装置は、図１にその一例を示すように、育成対象の植物Ｘを配置するベース部７と、該ベース部７に対向し光源３を備えた天井部２とを有してなり装置本体が略直方体である植物育成装置において、前記装置本体を形成する外周のうち１面を開放するとともに残りの面のうち少なくとも２面を反射部材（図１においては周壁６）で構成したことを特徴とするものである。
【０００８】
また、請求項２に記載の植物育成装置は、図３にその一例を示すように、請求項１に記載の発明において、前記ベース部７には、可動自在な移動手段（図３においてはキャスター７１）を設け、前記装置本体から前記ベース部７を分離可能としたことを特徴とするものである。
【０００９】
また、請求項３に記載の植物育成装置は、図１にその一例を示すように、請求項１又は請求項２に記載の発明において、前記開放された１面には、少なくとも前記光源３の発光部からの光を遮るように開放部用反射部材（図１においては反射板２２）を設けたことを特徴とするものである。
【００１０】
また、請求項４に記載の植物育成装置は、図１にその一例を示すように、請求項３に記載の発明において、前記開放部用反射部材（図１においては反射板２２）の垂下長さは、少なくとも前記光源３の発光部の厚みの５倍以上であることを特徴とするものである。
【００１１】
また、請求項５に記載の植物育成装置は、図４にその一例を示すように、請求項１乃至請求項４のいずれかに記載の発明において、前記ベース部７には、前記植物Ｘを配置する配置台（図４においては鉢Ｙ）を設け、該配置台（鉢Ｙ）に少なくとも１つの付加反射部材（図４においては反射板８）を設けたことを特徴とするものである。
【００１２】
また、請求項６に記載の植物育成装置は、請求項１乃至請求項５のいずれかに記載の発明において、前記装置本体は、前記天井部２から垂下する４本の支柱５を備え、少なくとも１つの前記支柱５の前記植物Ｘ側には、少なくとも１つの補助光源を設けたことを特徴とするものである。
【００１３】
また、請求項７に記載の植物育成装置は、図５にその一例を示すように、請求項６に記載の発明において、前記補助光源は、片口金型直管状蛍光ランプ３１であることを特徴とするものである。
【００１４】
また、請求項８に記載の植物育成装置は、図６にその一例を示すように、請求項６に記載の発明において、前記補助光源は、電子点灯回路を内蔵した電球型蛍光ランプ３２であることを特徴とするものである。
【００１５】
また、請求項９に記載の植物育成装置は、図７にその一例を示すように、請求項６に記載の発明において、前記補助光源は、白熱電球３３であることを特徴とするものである。
【００１６】
また、請求項１０に記載の植物育成装置は、図８にその一例を示すように、請求項６に記載の発明において、前記補助光源は、ヒーター電球３４であることを特徴とするものである。
【００１７】
また、請求項１１に記載の植物育成装置は、請求項１乃至請求項１０のいずれかに記載の発明において、前記光源３は、調光制御可能であることを特徴とするものである。
【００１８】
【発明の実施の形態】
本発明の第１実施形態を図１乃至図３に基づいて説明する。図１及び図３は、本発明の第１実施形態に係る植物育成装置１を示す斜視図であり、図２は、植物育成装置１を構成する支柱５を含む部分の断面図である。なお、図３は、図１に示す植物育成装置１のベース部７を取り出した状態を示す斜視図である。
【００１９】
まず、図１に示すように、装置本体である植物育成装置１は、育成対象となる植物Ｘを配置するベース部７と、光源３を備えベース部７に対向する天井部２と、天井部２から垂下する４本の支柱５と、支柱５と連結する３つの枠部４１と枠部４１の下部に設けた４個のキャスター４２とを有した底枠４と、反射部材で構成した３面の周壁６とを備えて構成されており、略直方体形状のものである。ここで、第１実施形態においては、植物育成装置１は、図１に示すように、その前面１面を開放部とし、他の３面を周壁６としている。
【００２０】
まず、ベース部７は、天井部２に対向し、配置台として例えば鉢Ｙを載置した鉢置き台車であり、移動手段として例えば４個のキャスター７１をその底に有している。なお、ベース部７は、例えば上面開放の凹形をしており、鉢Ｙから染み出した水が床面にこぼれない様な形状としており、育成植物Ｘは、鉢Ｙに植えられている。
【００２１】
また、天井部２は、トップケース２１から構成され、トップケース２１のベース部７側には光源３を設けている。なお、トップケース２１内部には光源３の点灯制御回路（図示せず）等が内蔵されており、トップケース２１の上面にはスイッチ（図示せず）やタイマー（図示せず）や給電用の電源ケーブル（図示せず）等が設けられている。
【００２２】
光源３としては例えば高光束光源である１００Ｗの高周波点灯専用二重環形蛍光ランプを１本用いている。また、トップケース２１の開放部側には開放部用反射部材である高反射率処理が施された反射板２２を設けて光源３の直視によるグレアを防止するような構成としている。トップケース２１の材料は、金属や樹脂等である。なお、光源３としては、従来の丸形蛍光ランプを多灯用いても勿論よい。
【００２３】
なお、反射板２２の垂下長さは、少なくとも光源３の発光部厚みの５倍以上とするが、反射板２２の垂下長さが長すぎるとユーザーにとっては目障りになるので、実用性から発光部厚み（例えば発光管の直径）の５〜７倍が好ましい。例えば光源３の発光管直径が２０ｍｍである場合には、反射板２２の垂下長さを１００〜１４０ｍｍとすることが好ましい。
【００２４】
さらに高い照度を必要とする場合は、光源３に加え、例えば高周波点灯専用二重環形蛍光ランプの７０Ｗタイプや４０Ｗタイプを併用すればよい。
【００２５】
また、支柱５は、図２にその断面図を示すが、例えば樹脂や金属を押出し成型したものであり、トップケース２１と後述するコの字形の枠部４１にネジ締め固定する際に使う例えば３つの孔５１と、後述する周壁６を挿入するためのスリット５２と、第３実施形態以降に述べる補助光源やヒーターに給電する電源ケーブル（図示せず）等を通すために用いる空隙５３とを備えている。
【００２６】
４本の支柱５は、トップケース２１と後述するコの字形の枠部４１に固定され、植物育成装置１の枠組みを形成する。なお、支柱５には、空隙５３に通したケーブル等を隠す目隠し板材５４が配置されており、目隠し板材５４の表面の少なくとも植物Ｘ側は、高反射率処理が施されている。
【００２７】
また、底枠４は、例えばコの字形である３つの枠部４１と、枠部４１の下部に設けた４個のキャスター４２とを備えており、後述する周壁６が設けられていない開放部でベース部７が前面に可動自在なように支柱５に連結され、金属や樹脂等で形成され、植物育成装置１の底の部分を構成している。
【００２８】
ここで、第１実施形態においては、周壁６は、例えば白色樹脂板といった高反射率処理を施した反射部材であり、例えば上部にハンドル６１を固定し、前述した支柱５のスリット５２にスライドさせるようにして植物育成装置１の外周３面に嵌め込むように取付ける。なお、周壁６は、例えば白色樹脂板であるが、金属や樹脂に白色塗装を行ったものであってもよく、少なくとも植物育成空間側が高反射率処理された壁材であり、遮光の機能も兼ね備えている。周壁６の支柱５への固定は、ネジ等を用いて直接固定するようにしてもよい。開放された１面（開放部）のハンドル６１は、例えばデザインの統一を図るためのダミーハンドルである。
【００２９】
なお、植物Ｘを育成するためには光源３を用いて照度を確保するが、育成植物Ｘを鑑賞する場合に、開放された１面（開放部）から外部へもれる光は、一般家庭における一般的な室内照明光よりも遥かに強く、居室の雰囲気が損なわれる可能性がある。そこで、第１実施形態においては、光源３の例えば点灯制御回路に高光束である光源３を調光制御可能な機能を付加して、ユーザーは、育成植物Ｘを鑑賞する時には光源３の調光点灯を行うような構成としている。
【００３０】
かかる植物育成装置においては、略直方体である装置本体を形成する外周のうち、ベース部７及び天井部２を除いた４面のうちの１面を開放するとともに残りの面のうち少なくとも２面を反射部材である高反射率処理を施した周壁６で構成することで、この開放された１面（開放部）以外に植物育成装置１内を空気の吹き抜ける面がないため、植物育成装置１内の環境が安定する。
【００３１】
また、昨今ではユーザーが居住する室内空間は一般的にほぼ一年中快適に保たれており、装置本体に前述のような開放部を設けてオープンな状態とすることにより、室内空間の環境を最大限利用することができるため、冷暖房装置や換気装置等の各種機器（図示せず）が不要となる。このため、装置本体は、サイズがコンパクトでかつ軽量で、簡単な構成とすることができるので、一般家庭の室内において、季節を問わず、好みの植物Ｘを育成、栽培できる。
【００３２】
また、ベース部７には、可動自在な移動手段であるキャスター７１を設け、装置本体からベース部７を分離可能としているので、育成植物Ｘを簡単に取出すことができ、水遣り、剪定等の育成植物Ｘのメンテナンスが容易となる。
【００３３】
また、開放された１面（開放部）は、少なくとも光源３の発光部からの光を遮るように開放部用反射部材である高反射率処理が施された反射板２２を設けることで、ユーザーにとっては光源３の直視によるグレアが防止できるとともに、開放部への光のロスを反射回収するこができる。また、反射板２２の垂下長さを発光部の厚みの５倍以上として設けることで、植物育成装置１内の空間で２０％程度の照度アップが得られ、例えば鉢Ｙの植え込み面高さで約２万ルクスの照度が得ることも可能である。また、光源３の高光束を調光制御可能な構成とし、光源３の調光点灯することにより、室内の雰囲気に調和させることができる。
【００３４】
次に、第１実施形態において育成植物Ｘの植えられた鉢Ｙに付加反射部材を設けた実施形態を、本発明の第２実施形態として図４に基づいて説明する。図４は、本発明の第２実施形態に係る植物育成装置１を示す斜視図である。なお、第１実施形態との同一箇所には同一符号を付して、共通部分の説明は省略する。
【００３５】
第２実施形態は、第１実施形態において、図４に示すように、ベース部７に載置した鉢Ｙに付加反射部材として例えば４枚の小型の反射板８を差し込んで配置した構成である。なお、反射板８は、少なくとも育成植物Ｘ側の面が高反射率を有しており、反射板８の材料は、例えば白色樹脂板であるが、金属や樹脂に白色塗装を行ってよく、反射板８の設置数は少なくとも１つ以上あれば複数であってもよい。
【００３６】
かかる植物育成装置においては、ベース部７に載置した鉢Ｙに付加反射部材である高反射率処理が施された反射板８を少なくとも１つ付加することにより、光源３からの光をより効率的に利用でき、植物Ｘの育成に好ましい結果をもたらすことができる。
【００３７】
次に、第１実施形態において支柱５に補助光源を設けた実施形態を、第３実施形態として図５に基づいて説明する。図５は、本発明の第３実施形態に係る植物育成装置１を示す斜視図である。なお、第１実施形態との同一箇所には同一符号を付して、共通部分の説明は省略する。
【００３８】
第３実施形態は、第１実施形態において、図５に示すように、例えば、天井部２から垂下する４本の支柱５各々の育成植物Ｘ側に、補助光源として片口金型直管状蛍光ランプ３１を付加し、育成植物Ｘ下部の光量不足を補う構成としている。片口金型直管状蛍光ランプ３１の点灯回路（図示せず）は、トップケース２１（図１参照）内に納められ、この点灯回路への給電ケーブル（図示せず）は、支柱５の内部に設けられた空隙５３に納める。
【００３９】
なお、第３実施形態においては、全ての４本の支柱５に片口金型直管状蛍光ランプ３１を取付けているが、例えば、図５において４本の支柱５のうち、対角２本や奥２本や手前２本であってもよく、少なくとも１つ支柱５に少なくとも１つ設けられていればよく、また片口金型直管状蛍光ランプ３１の設置高さは、如何なる高さでもよいが、育成植物Ｘへの散水等により水が片口金型直管状蛍光ランプ３１のランプソケット部に掛からないように、鉢Ｙより高い位置である方が好ましい。また、片口金型直管状蛍光ランプ３１には、適宜反射板（図示せず）を装着してもよい。
【００４０】
かかる植物育成装置においては、少なくとも１つの支柱５の育成植物Ｘ側に補助光源として片口金型直管状蛍光ランプ３１を少なくとも１つ設けることで、ある程度の知識や経験、勘を必要とする育成植物Ｘの整枝や整葉が不十分でも、成長して光の届きにくくなった育成植物Ｘ下部の光量不足を補うことができる。また、片口金型直管状蛍光ランプ３１は、発光部が比較的長いので、育成植物Ｘ下部広い範囲の光量不足をカバーすることができる。
【００４１】
次に、第３実施形態において補助光源として電球型蛍光ランプ３２を用いた実施形態を、第４実施形態として図６に基づいて説明する。図６は、本発明の第４実施形態に係る植物育成装置１を示す斜視図である。なお、第３実施形態との同一箇所には同一符号を付して、共通部分の説明は省略する。
【００４２】
第４実施形態は、第３実施形態において、図６に示すように、補助光源である片口金型直管状蛍光ランプ３１の代わりに電子点灯回路を内蔵している電球型蛍光ランプ３２を設けた構成である。電球型蛍光ランプ３２は電子点灯回路を内蔵しているので、トップケース２１（図１参照）には点灯回路が不要であり、支柱５の内部に設けられた空隙５３を通じて電源ケーブル（図示せず）さえ配線してやればよい。
【００４３】
かかる植物育成装置においては、少なくとも１つの支柱５の育成植物Ｘ側に補助光源として電子点灯回路を内蔵した電球型蛍光ランプ３２を少なくとも１つ設けることで、ある程度の知識や経験、勘を必要とする育成植物Ｘの整枝や整葉が不十分でも、成長して光の届きにくくなった育成植物Ｘ下部の光量不足を補うことができる。また、電球型蛍光ランプ３２は、電子点灯回路を内蔵しているので、装置本体への補助光源の組込み（配線）が容易である。
【００４４】
次に、第３実施形態において補助光源として白熱電球３３を用いた実施形態を、第５実施形態として図７に基づいて説明する。図７は、本発明の第５実施形態に係る植物育成装置１を示す斜視図である。なお、第３実施形態との同一箇所には同一符号を付して、共通部分の説明は省略する。
【００４５】
第５実施形態は、第３実施形態において、図７に示すように、補助光源である片口金型直管状蛍光ランプ３１の代わりに白熱電球３３を設けた構成である。なお、白熱電球３３の植物育成装置１への組込み易さは、第４実施形態に示した電球型蛍光ランプ３２と同様であるが、一般的に、白熱電球３３は、電球型蛍光ランプ３２よりも発熱量が多い。
【００４６】
なお、白熱電球３３は、点灯時の表面温度が１００℃を超えることがあるので、ユーザーが誤って手を触れて火傷等をしないように、例えばメッシュ状の保護カバー（図示せず）を付加するすることが望ましい。
【００４７】
かかる植物育成装置においては、少なくとも１つの支柱５の育成植物Ｘ側に補助光源として白熱電球３３を少なくとも１つ設けることで、ある程度の知識や経験、勘を必要とする育成植物Ｘの整枝や整葉が不十分でも、成長して光の届きにくくなった育成植物Ｘ下部の光量不足を補うことができる。また、白熱電球３３は、装置本体への補助光源の組込み（配線）が容易であるとともに、発熱量が比較的多いので、例えば冬季に夏野菜の育成を行う場合、ヒーターとしても利用できる。
【００４８】
次に、第３実施形態において補助光源としてヒーター電球３４を更に追加した実施形態を、第６実施形態として図８に基づいて説明する。図８は、本発明の第６実施形態に係る植物育成装置１を示す斜視図であるが、植物Ｘを植えた鉢Ｙが載置されたベース部７の記載は簡略化のため省略した。なお、第３実施形態との同一箇所には同一符号を付して、共通部分の説明は省略する。
【００４９】
第６実施形態は、第３実施形態において、図８に示すように、支柱５に設ける補助光源として例えば２つのヒーター電球３４を更に追加し、昼間用の補助光源である片口金型直管状蛍光ランプ３１と夜間用の補助光源であるヒーター電球３４とを併用したものである。
【００５０】
ここで、ヒーター電球３４とは、白熱電球のフィラメントをニクロム等の抵抗線に置き換えたもので、光はほとんど出さず、熱だけを発生するものである。また、ヒーター電球３４は、ヒーター電球３４の設置数が少なくとも１つ以上あればよいが、点灯時の表面温度が約１５０℃を超えることがあるので、図８に示すようにユーザーが手で触りにくい奥側の各支柱５に１つづつ設置したり、ヒーター電球３４には例えばメッシュ状の保護カバー（図示せず）を付加したりすることが好ましい。
【００５１】
なお、ユーザーが光源３や昼間用の片口金型直管状蛍光ランプ３１を消灯する夜間には、熱源がなくなるため、植物育成装置１内は、室温まで低下し、例えば、冬季夜間の一般家庭の居室内温度は、１５℃を下回ることがしばしばあり、育成植物Ｘの種類によっては、休眠したり、成長が衰えたり、枯れたりする障害が起こる場合があるが、ヒーター電球３４を夜間に点灯しておくことで、植物育成装置１内の温度を室温まで低下させることはない。また、ヒーター電球３４を用いて植物育成装置１内の確実な温度管理をする場合には、ユーザーは、サーモスタット（図示せず）等の温度制御装置を用いて温度制御することが好ましい。
【００５２】
かかる植物育成装置においては、少なくとも１つの支柱５の育成植物Ｘ側に補助光源としてヒーター電球３４を少なくとも１つ設けることで、ある程度の知識や経験、勘を必要とする育成植物Ｘの整枝や整葉が不十分でも、成長して光の届きにくくなった育成植物Ｘ下部の光量不足を補うことができる。また、ヒーター電球３４による発熱効果で例えば冬季夜間の温度低下が防止できる。
【００５３】
ここで、第６実施形態においては、片口金型直管状蛍光ランプ３１とヒーター電球３４とを併用したが、補助電源としてヒーター電球３４だけを単独で用いても勿論よい。
【００５４】
次に、図９及び図１０に基づいて参考例を説明するが、図９及び図１０は、各々参考例である植物育成装置１を示す斜視図であり、前述した実施形態との同一箇所には同一符号を付して、共通部分の説明は省略する。
【００５５】
図９に示す植物育成装置１は、植物育成装置１を設置する居室内温度が、例えば５℃以下というような極めて低い場合に対応するためのものであり、前面の開放部には、例えば光透過性板材９には取り外しを容易にするために設けた指の出し入れ自在な孔９１を備えた取り外し可能な光透過性板材９を設けている。
【００５６】
なお、この光透過性板材９は、居室内温度の影響（極めて低温）を例え一時的にでも受けないようにするためのものであり、このように、例えば第６実施形態の図８に示した前面の開放部に光透過性を有する光透過性板材９を嵌めることにより、育成植物Ｘの鑑賞の妨げにはなることはなく熱の放散が抑制され、植物育成装置１内を育成植物Ｘに適した温度に保つことができる。
【００５７】
なお、前面の開放部に設ける光透過性板材９は、ダミーのハンドル６１に光透過性板材９を一時的に取外し可能に固定にするような構成としてもよい。また、前面の開放部に、光透過性板材９のような板材ではなく、可撓性のある透光シート（図示せず）をカーテンのように配しても同等の効果が得られる。
【００５８】
また、図１０に示す植物育成装置１は、植物育成装置１を設置する居室内温度が、例えば３０℃以上というような極めて高い場合に対応するためのものであり、例えば第５実施形態の図７に示した前面の開放部に対向する周壁６に通気用の開閉自在な孔部６２を備えるものである。
【００５９】
なお、この開閉自在な孔部６２は、居室内温度の影響（極めて高温）を例え一時的にでも受けないようにするためのものであり、前面の開放部とともに更に孔部６２を開けることで、植物育成装置１内に発生する対流によって植物育成装置１内の熱を効率よく排出し、植物育成装置１内を育成植物Ｘに適した温度に保つことができる。
【００６０】
ここで、第１実施形態乃至第６実施形態や上述した参考例において、植物育成装置１に対して育成植物Ｘの育成に関する環境情報をセンシングする温度センサー、湿度センサー、照度センサー等の種々のセンサー（図示せず）を設け、これらのセンサーで検出した環境情報を収集、解析する解析回路部（図示せず）を例えば天井部２のトップケース２１（図１参照）内に設けてもよい。なお、この解析回路部は、前述の環境情報を収集、解析するとともに、インターネット網（図示せず）等を通して外部のサーバー（図示せず）や種々のインターネット端末（図示せず）との間でこれらの環境情報を送信できる機能を備えたり、外部のサーバーや種々のインターネット端末から、育成植物Ｘに対する照度等の制御情報等を受信して、その制御情報に基づいて育成植物Ｘを育成制御する機能を備えるようにしてもよい。
【００６１】
【発明の効果】
上記のように本願の請求項１に係る発明の植物育成装置にあっては、装置本体を形成する外周のうち１面を開放するとともに残りの面のうち少なくとも２面を反射部材で構成することで、開放された１面以外に装置本体内を空気の吹き抜ける面がないため、装置本体内の環境が安定するという効果を奏する。また、冷暖房装置や換気装置等の各種機器が不要であるため、装置本体は、サイズがコンパクトでかつ軽量で、簡単な構成とすることができるので、一般家庭の室内において、季節を問わず、好みの植物を育成、栽培できるという効果を奏する。
【００６２】
また、請求項２に係る発明の植物育成装置にあっては、請求項１に記載の発明において、ベース部には、可動自在な移動手段を設け、装置本体からベース部を分離可能としているので、育成植物を簡単に取出すことができ、水遣り、剪定等の植物のメンテナンスが容易であるという効果を奏する。
【００６３】
また、請求項３に係る発明の植物育成装置にあっては、請求項１又は請求項２に記載の発明において、開放された１面には、少なくとも光源の発光部からの光を遮るように開放部用反射部材を設けたので、ユーザーにとっては光源の直視によるグレアが防止できるとともに、開放された１面への光のロスを反射回収するこができるという効果を奏する。
【００６４】
また、請求項４に係る発明の植物育成装置にあっては、請求項３に記載の発明において、開放部用反射部材の垂下長さは、少なくとも光源の発光部の厚みの５倍以上とすることで、この開放部反射部材がない場合に比べて２０％程度の照度アップが得られるという効果を奏する。
【００６５】
また、請求項５に係る発明の植物育成装置にあっては、請求項１乃至請求項４のいずれかに記載の発明において、植物を配置する配置台に少なくとも１つの付加反射部材を設けることで、光源からの光をより効率的に利用できるという効果を奏する。
【００６６】
また、請求項６に係る発明の植物育成装置にあっては、請求項１乃至請求項５のいずれかに記載の発明において、天井面から垂下する４本の支柱のうち少なくとも１つの支柱の育成植物側に、少なくとも１つの補助光源を設けることで、ある程度の知識や経験、勘を必要とする植物の整枝や整葉が不十分でも、成長して光の届きにくくなった育成植物下部の光量不足を補うことができるという効果を奏する。
【００６７】
また、請求項７に係る発明の植物育成装置にあっては、請求項６に記載の発明において、補助光源として発光部が比較的長い片口金型直管状蛍光ランプ３１を用いることで、育成植物下部広い範囲の光量不足をカバーすることができるという効果を奏する。
【００６８】
また、請求項８に係る発明の植物育成装置にあっては、請求項６に記載の発明において、補助光源として電子点灯回路を内蔵した電球型蛍光ランプを用いることで、装置本体への補助光源の組込み（配線）が容易であるという効果を奏する。
【００６９】
また、請求項９に係る発明の植物育成装置にあっては、請求項６に記載の発明において、補助光源として白熱電球を用いることで、装置本体への補助光源の組込み（配線）が容易であるとともに、冬季に夏野菜の育成を行う場合等、ヒーターとしても利用できるという効果を奏する。
【００７０】
また、請求項１０に係る発明の植物育成装置にあっては、請求項６に記載の発明において、補助光源としてヒーター電球を用いることで、ヒーター電球による発熱効果を利用して例えば冬季夜間の温度低下が防止できるという効果を奏する。
【００７１】
また、請求項１１に係る発明の植物育成装置にあっては、請求項１乃至請求項１０のいずれかに記載の発明において、光源を調光制御可能とすることで、装置本体の１面を開放していても、植物育成装置は植物鑑賞時に居室内の雰囲気に調和させることができるという効果を奏する。
【図面の簡単な説明】
【図１】本発明の第１実施形態に係る植物育成装置を示す斜視図である。
【図２】本発明の第１実施形態に係る植物育成装置を構成する支柱を含む部分の断面図である。
【図３】本発明の第１実施形態に係る植物育成装置を示す他の斜視図である。
【図４】本発明の第２実施形態に係る植物育成装置を示す斜視図である。
【図５】本発明の第３実施形態に係る植物育成装置を示す斜視図である。
【図６】本発明の第４実施形態に係る植物育成装置を示す斜視図である。
【図７】本発明の第５実施形態に係る植物育成装置を示す斜視図である。
【図８】本発明の第６実施形態に係る植物育成装置を示す斜視図である。
【図９】参考例に係る植物育成装置を示す斜視図である。
【図１０】他の参考例に係る植物育成装置を示す斜視図である。
【図１１】従来例に係る植物育成装置を示す斜視図である。
【符号の説明】
１　植物育成装置
２　天井部
３　光源
４　底枠
５　支柱
６　周壁
７　ベース部
８　反射板
２１　トップケース
２２　反射板
３１、３２　ランプ
３３、３４　電球
４１　枠部
４２、７１　キャスター
５１　孔
５２　スリット
５３　空隙
５４　板材
６１　ハンドル
Ｘ　植物
Ｙ　鉢
【図１】
2004024018.tif 000003
【図２】
2004024018.tif 000004
【図３】
2004024018.tif 000005
【図４】
2004024018.tif 000006
【図５】
2004024018.tif 000007
【図６】
2004024018.tif 000008
【図７】
2004024018.tif 000009
【図８】
2004024018.tif 000010
【図９】
2004024018.tif 000011
【図１０】
2004024018.tif 000012
【図１１】
2004024018.tif 000013